Podtech/llm-jp-corpus-v4-ja_patent huggingface dataset:
【手続補正書】
【提出日】平成28年9月1日(2016.9.1)
【手続補正１】
【補正対象書類名】特許請求の範囲
【補正対象項目名】全文
【補正方法】変更
【補正の内容】
【特許請求の範囲】
【請求項１】
遊技領域を装飾する装飾ユニットを備えた遊技機であって、
前記装飾ユニットは、
光源と、
前記光源の前側に配置される装飾部材と、
を備え、
前記装飾部材は、表側に形成されたレンズ部、および当該レンズ部の裏側かつ前記光源側に形成された前記光源から出射された光を拡散させる拡散部を有し、
前記装飾部材は、
前記レンズ部および前記拡散部を含む第一装飾体と、
前記第一装飾体における前記レンズ部および前記拡散部が形成された箇所以外における少なくとも一部に重なるように接合され、前記レンズ部および前記拡散部が形成された箇所以外の箇所を装飾する第二装飾体と、
を有し、
前記装飾部材の前記第一装飾体または前記第二装飾体のいずれか一方には接合凸部が形成されるとともに、他方には当該接合凸部に係合する接合凹部が形成されていることを特徴とする遊技機。
【手続補正２】
【補正対象書類名】明細書
【補正対象項目名】０００６
【補正方法】変更
【補正の内容】
【０００６】
上記課題を解決するためになされた請求項１の発明にかかる遊技機は、遊技領域を装飾する装飾ユニットを備えた遊技機であって、前記装飾ユニットは、光源と、前記光源の前側に配置される装飾部材と、を備え、前記装飾部材は、表側に形成されたレンズ部、および当該レンズ部の裏側かつ前記光源側に形成された前記光源から出射された光を拡散させる拡散部を有し、前記装飾部材は、前記レンズ部および前記拡散部を含む第一装飾体と、前記第一装飾体における前記レンズ部および前記拡散部が形成された箇所以外における少なくとも一部に重なるように接合され、前記レンズ部および前記拡散部が形成された箇所以外の箇所を装飾する第二装飾体と、を有し、前記装飾部材の前記第一装飾体または前記第二装飾体のいずれか一方には接合凸部が形成されるとともに、他方には当該接合凸部に係合する接合凹部が形成されていることを特徴とする。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】変更
【補正の内容】
【００１５】
また、装飾部材は、透明な部分とレンズ部および拡散部を含む第一装飾体と、第一装飾体における透明な部分の少なくとも一部に重なるように接合される第二装飾体とで構成されるものとすることが可能である。この場合、第二装飾体は、上記第二の部分を形成するものとすることが可能である。すなわち、第二装飾体を、レンズ部および拡散部が形成された箇所以外の箇所の少なくとも一部を装飾するだけでなく、光透過部材に対する装飾部材の固定を容易かつ確実にするものとして機能させることが可能である。
【手続補正１１】
【補正対象書類名】明細書
【補正対象項目名】００１６
【補正方法】変更
【補正の内容】
【００１６】
また、第一装飾体と第二装飾体を接合した後、両装飾体がずれてしまうのを防止することが可能となる。
【手続補正１２】
【補正対象書類名】明細書
【補正対象項目名】００１７
【補正方法】削除
【補正の内容】
【手続補正書】
【提出日】平成27年12月21日(2015.12.21)
【手続補正１】
【補正対象書類名】特許請求の範囲
【補正対象項目名】全文
【補正方法】変更
【補正の内容】
【特許請求の範囲】
【請求項１】
可変表示を行い、遊技者にとって有利な有利状態に制御可能な遊技機であって、
前記有利状態に制御するか否かを決定するための有利状態決定用乱数と、可変表示パターンを決定するための可変表示決定用乱数とを抽出する抽出手段と、
未だ開始していない可変表示について、前記抽出手段が抽出した前記有利状態決定用乱数と前記可変表示決定用乱数とを上限数を限度に保留記憶として記憶する保留記憶手段と、
前記有利状態決定用乱数を用いて、前記有利状態に制御するか否かを決定する決定手段と、
前記決定手段の決定結果と、可変表示を開始するときの前記保留記憶手段が記憶する保留記憶数と、前記可変表示決定用乱数の値と、判定値とにもとづいて、複数種類の可変表示パターンから１つの可変表示パターンを決定する可変表示パターン決定手段と、
前記可変表示パターン決定手段の決定結果にもとづいて、可変表示を実行する可変表示実行手段と、
第１の保留記憶に基づく可変表示が開始されるよりも前に行われる前記第１の保留記憶とは別の保留記憶に基づく可変表示において、特定予告を実行する演出制御手段とを備え、
複数種類の可変表示パターンは、特定可変表示パターンと該特定可変表示パターンとは異なる非特定可変表示パターンを含み、
前記特定予告は、前記第１の保留記憶に基づく可変表示における可変表示パターンが前記特定可変表示パターンである場合に実行される可能性が高く、
前記特定可変表示パターンに対応した判定値は、保留記憶数にかかわらず共通であり、
前記特定予告として、第１予告と該第１予告とは実行タイミングが異なる第２予告を実行可能であり、
前記第１予告として、特定第１予告と特別第１予告を実行可能であり、前記特定第１予告と前記特別第１予告とは期待度が異なる
ことを特徴とする遊技機。
【手続補正２】
【補正対象書類名】明細書
【補正対象項目名】００１１
【補正方法】変更
【補正の内容】
【００１１】
上記目的を達成するため、本発明にかかる遊技機は、
可変表示を行い、遊技者にとって有利な有利状態に制御可能な遊技機であって、
前記有利状態に制御するか否かを決定するための有利状態決定用乱数（大当たり判定用乱数及び大当たり種別判定用乱数）と、可変表示パターンを決定するための可変表示決定用乱数（変動種別判定用乱数及び変動パターン判定用乱数）とを抽出する抽出手段と、
未だ開始していない可変表示について、前記抽出手段が抽出した前記有利状態決定用乱数と前記可変表示決定用乱数とを上限数を限度に保留記憶として記憶する保留記憶手段と、
前記有利状態決定用乱数を用いて、前記有利状態に制御するか否かを決定する決定手段と、
前記決定手段の決定結果と、可変表示を開始するときの前記保留記憶手段が記憶する保留記憶数と、前記可変表示決定用乱数の値と、判定値とにもとづいて、複数種類の可変表示パターンから１つの可変表示パターンを決定する可変表示パターン決定手段と、
前記可変表示パターン決定手段の決定結果にもとづいて、可変表示を実行する可変表示実行手段と、
第１の保留記憶に基づく可変表示が開始されるよりも前に行われる前記第１の保留記憶とは別の保留記憶に基づく可変表示において、特定予告（ステップアップ演出、演出Ａ及び演出Ｂ）を実行する演出制御手段とを備え、
複数種類の可変表示パターンは、特定可変表示パターンと該特定可変表示パターンとは異なる非特定可変表示パターンを含み、
前記特定予告は、前記第１の保留記憶に基づく可変表示における可変表示パターンが前記特定可変表示パターン（スーパーリーチ）である場合に実行される可能性が高く、
前記特定可変表示パターンに対応した判定値は、保留記憶数にかかわらず共通であり、
前記特定予告として、第１予告（ステップアップ演出）と該第１予告とは実行タイミングが異なる第２予告（演出Ａ、演出Ｂ）を実行可能であり、
前記第１予告として、特定第１予告（ステップアップ演出のステップ１）と特別第１予告（ステップアップ演出のステップ２以上）を実行可能であり、前記特定第１予告と前記特別第１予告とは期待度が異なる
ことを特徴とする。
【手続補正書】
【提出日】平成27年12月16日(2015.12.16)
【手続補正１】
【補正対象書類名】特許請求の範囲
【補正対象項目名】全文
【補正方法】変更
【補正の内容】
【特許請求の範囲】
【請求項１】
遊技媒体の入賞によって遊技価値を付与可能な入賞領域を有する遊技機であって、
前記入賞領域に入賞した遊技媒体を検出可能な入賞検出部と、
前記入賞領域に入賞した後に前記入賞検出部を通過した遊技媒体を検出可能な入賞確認部と、
前記入賞検出部で検出された遊技媒体の数と前記入賞確認部で検出された遊技媒体の数との差分が所定数以上となる差分異常が発生したことにもとづいて、異常報知を実行する異常報知手段と、
異常情報を外部出力する外部出力手段と、
遊技機への電力供給が停止しても記憶内容を所定期間保持可能な記憶手段と、
遊技機への電力供給が開始されたときに、所定条件の成立にもとづいて前記記憶手段の記憶内容を初期化する初期化処理を実行する初期化手段と、
可変表示を実行する可変表示実行手段とを備え、
前記異常情報を外部出力しているときに遊技機への電力供給が停止した場合に、その後前記初期化手段によって前記初期化処理が実行されたときと前記初期化処理が実行されなかったときとで前記異常情報が外部出力される期間が異なり、
前記可変表示実行手段は、前記異常報知手段によって前記異常報知が実行されているときにも可変表示を実行可能である
ことを特徴とする遊技機。
【手続補正２】
【補正対象書類名】明細書
【補正対象項目名】０００８
【補正方法】削除
【補正の内容】
【手続補正３】
【補正対象書類名】明細書
【補正対象項目名】０００９
【補正方法】変更
【補正の内容】
【０００９】
本発明は、初期化処理を実行して遊技機が起動した場合であるかを外部から認識可能とすることを目的とする。
【手続補正４】
【補正対象書類名】明細書
【補正対象項目名】００１０
【補正方法】変更
【補正の内容】
【００１０】
（手段１）本発明による遊技機は、遊技媒体（例えば、遊技球）の入賞によって遊技価値を付与可能な入賞領域（例えば、始動入賞口１４、大入賞口）を有する遊技機であって、入賞領域に入賞した遊技媒体を検出可能な入賞検出部（例えば、始動口スイッチ１４ａ、カウントスイッチ２３）と、入賞領域に入賞した後に入賞検出部を通過した遊技媒体を検出可能な入賞確認部（例えば、入賞確認１スイッチ１４ｂ、入賞確認２スイッチ２３ｂ）と、入賞検出部で検出された遊技媒体の数と入賞確認部で検出された遊技媒体の数との差分が所定数（例えば、１０個）以上となる差分異常（例えば、排出異常）が発生したことにもとづいて、異常報知（例えば、排出異常報知）を実行する異常報知手段（例えば、演出制御用マイクロコンピュータ１００におけるステップＳ３００１〜Ｓ３００３を実行する部分）と、異常情報を外部出力する外部出力手段と、遊技機への電力供給が停止しても記憶内容を所定期間保持可能な記憶手段（例えば、バックアップＲＡＭとしてのＲＡＭ５５）と、遊技機への電力供給が開始されたときに、所定条件の成立（例えば、クリアスイッチのオン）にもとづいて記憶手段の記憶内容を初期化する初期化処理を実行する初期化手段（例えば、遊技制御用マイクロコンピュータ５６０におけるステップＳ１０を実行する部分）と、可変表示を実行する可変表示実行手段とを備え、異常情報を外部出力しているときに遊技機への電力供給が停止した場合に、その後初期化手段によって初期化処理が実行されたときと初期化処理が実行されなかったときとで異常情報が外部出力される期間が異なり、可変表示実行手段は、異常報知手段によって異常報知が実行されているときにも可変表示を実行可能であることを特徴とする。そのような構成により、初期化処理を実行して遊技機が起動した場合であるかを外部から認識可能とすることができる。
【手続補正書】
【提出日】平成27年12月18日(2015.12.18)
【手続補正１】
【補正対象書類名】特許請求の範囲
【補正対象項目名】全文
【補正方法】変更
【補正の内容】
【特許請求の範囲】
【請求項１】
第１識別情報および第２識別情報の可変表示を行い、遊技者にとって有利な特定状態に制御可能な遊技機であって、
遊技の進行を制御する遊技制御手段と、
前記遊技制御手段から送信されるコマンドにもとづいて、第１識別情報の可変表示と第２識別情報の可変表示とに対応した演出識別情報の可変表示を実行可能な演出制御手段と、
未だ開始されていない可変表示を、上限数を限度に保留記憶として記憶する保留記憶手段とを備え、
前記遊技制御手段は、
前記特定状態に制御するか否かを決定する決定手段と、
前記決定手段の決定結果にもとづいて、演出識別情報の可変表示パターンを、複数種類の可変表示パターンのうちから決定する可変表示パターン決定手段と、
有利条件が成立したときに、可変表示を所定回数実行するまで、非有利状態と比較して少なくとも第２識別情報の可変表示が実行されやすい有利状態に制御する有利状態制御手段とを含み、
前記可変表示パターン決定手段は、前記有利状態に制御されているか否かに応じて、異なる割合により可変表示パターンを決定し、
前記決定手段の決定より前に前記特定状態に制御されるか否かを判定する判定手段と、
前記判定手段の判定結果にもとづいて、特定予告を実行する特定予告実行手段とを備え、
前記決定手段は、
第１特定状態と第２特定状態とを含む複数種類の前記特定状態のうちのいずれに制御するかを決定可能であり、
第１識別情報の可変表示にもとづいて前記特定状態に制御するときと、第２識別情報の可変表示にもとづいて前記特定状態に制御するときとで、複数種類の前記特定状態のうちのいずれに制御するかを異なる割合により決定し、
前記特定予告実行手段は、
前記有利状態が終了した後の前記非有利状態において実行された可変表示の実行回数が前記保留記憶手段によって記憶可能な上限数となるまでの期間において、前記特定予告の実行を制限し、
前記有利状態中において、第１識別情報の可変表示に対する前記特定予告を実行しない
ことを特徴とする遊技機。
【手続補正２】
【補正対象書類名】明細書
【補正対象項目名】０００１
【補正方法】変更
【補正の内容】
【０００１】
本発明は、第１識別情報および第２識別情報の可変表示を行い、遊技者にとって有利な特定状態に制御可能なパチンコ遊技機等の遊技機に関する。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】変更
【補正の内容】
【００１０】
本発明は、遊技者の期待感を損なうことなく予告を行うことができる遊技機を提供することを目的とする。
【手続補正６】
【補正対象書類名】明細書
【補正対象項目名】００１１
【補正方法】変更
【補正の内容】
【００１１】
本発明による遊技機は、第１識別情報および第２識別情報（例えば、第１特別図柄。第２特別図柄。）の可変表示を行い、遊技者にとって有利な特定状態（例えば、大当り遊技状態）に制御可能な遊技機であって、遊技の進行を制御する遊技制御手段（例えば、バックアップＲＡＭとしてのＲＡＭ５５を備える遊技制御用マイクロコンピュータ５６０）と、遊技制御手段から送信されるコマンドにもとづいて、第１識別情報の可変表示と第２識別情報の可変表示とに対応した演出識別情報の可変表示を実行可能な演出制御手段と、未だ開始されていない可変表示を、上限数（例えば４）を限度に保留記憶として記憶する保留記憶手段（例えば、第１保留記憶バッファ。第２保留記憶バッファ。）とを備え、遊技制御手段は、特定状態に制御するか否かを決定する決定手段（例えば、遊技制御用マイクロコンピュータ５６０におけるステップＳ６１，Ｓ６２，Ｓ７３を実行する部分）と、決定手段の決定結果にもとづいて、演出識別情報の可変表示パターン（例えば、変動パターン）を、複数種類の可変表示パターンのうちから決定する可変表示パターン決定手段（例えば、遊技制御用マイクロコンピュータ５６０におけるステップＳ９１〜Ｓ１０５を実行する部分）と、有利条件が成立（例えば、通常大当りと決定）したときに、可変表示を所定回数（例えば１００回）実行するまで、非有利状態と比較して少なくとも第２識別情報の可変表示が実行されやすい有利状態（例えば、高ベース状態（確変状態や時短状態））に制御する有利状態制御手段（例えば、遊技制御用マイクロコンピュータ５６０におけるステップＳ１６７，Ｓ１７０，Ｓ１７１を実行する部分）とを含み、可変表示パターン決定手段は、有利状態に制御されているか否かに応じて、異なる割合により可変表示パターンを決定し（例えば、遊技制御用マイクロコンピュータ５６０は、ステップＳ９５でＹのときステップＳ９９で図１０（Ｃ）に示す確変／時短用のはずれ用変動パターン種別判定テーブル１３５Ｃを選択してステップＳ１０２以降の処理を実行し、ステップＳ９５でＮのときステップＳ９７，Ｓ９８で図１０（Ａ）に示す通常用のはずれ用変動パターン種別判定テーブル１３５Ａまたは図１０（Ｂ）に示す短縮用のはずれ用変動パターン種別判定テーブル１３５Ｂを選択してステップＳ１０２以降の処理を実行する）、決定手段の決定より前に特定状態に制御されるか否かを判定する判定手段（例えば、遊技制御用マイクロコンピュータ５６０におけるステップＳ２１７Ａ，Ｓ２１７Ｂを実行する部分）と、判定手段の判定結果にもとづいて、特定予告を実行する特定予告実行手段（例えば、演出制御用マイクロコンピュータ１００において、ステップＳ１８４８を実行することによって、図４８〜図５１に示す演出態様の連続予告演出を実行する部分）とを備え、決定手段は、第１特定状態と第２特定状態とを含む複数種類の特定状態のうちのいずれに制御するかを決定可能であり、第１識別情報の可変表示にもとづいて特定状態に制御するときと、第２識別情報の可変表示にもとづいて特定状態に制御するときとで、複数種類の特定状態のうちのいずれに制御するかを異なる割合により決定し、特定予告実行手段は、有利状態が終了した後の非有利状態において実行された可変表示の実行回数が保留記憶手段によって記憶可能な上限数（例えば、合算保留記憶数の上限数８）となるまでの期間において、特定予告の実行を制限し、有利状態中において、第１識別情報の可変表示に対する特定予告を実行しないことを特徴とする。
【手続補正７】
【補正対象書類名】明細書
【補正対象項目名】００１８
【補正方法】変更
【補正の内容】
【００１８】
請求項１に記載された遊技機では、特定予告実行手段が、有利状態が終了した後の非有利状態において実行された可変表示の実行回数が保留記憶手段によって記憶可能な上限数となるまでの期間において、特定予告の実行を制限するように構成されているので、遊技者の期待感を損なうことなく予告を行うことができる。
【手続補正書】
【提出日】平成27年12月9日(2015.12.9)
【手続補正１】
【補正対象書類名】特許請求の範囲
【補正対象項目名】全文
【補正方法】変更
【補正の内容】
【特許請求の範囲】
【請求項１】
第１可変表示を行い表示結果を導出表示する第１可変表示手段または、第２可変表示を行い表示結果を導出表示する第２可変表示手段に予め定められた特定表示結果が導出表示されたときに、遊技者にとって有利な有利状態に制御可能な遊技機であって、
前記第１可変表示手段における前記第１可変表示の可変表示開始時から可変表示終了時までの可変表示時間を含む可変表示パターンを選択するための第１可変表示パターン選択処理と、前記第２可変表示手段における前記第２可変表示の可変表示開始時から可変表示終了時までの可変表示時間を含む可変表示パターンを選択するための第２可変表示パターン選択処理とを同一の処理ルーチンにより実行し、可変表示パターンを選択する可変表示パターン選択手段を備え、
所定条件下において演出が異なる
ことを特徴とする遊技機。
【手続補正２】
【補正対象書類名】明細書
【補正対象項目名】０００８
【補正方法】変更
【補正の内容】
【０００８】
（１）上記目的を達成するため、本発明の第１の観点に係る遊技機は、第１可変表示を行い表示結果を導出表示する第１可変表示手段（例えば第１特別図柄表示装置４Ａ）または、第２可変表示を行い表示結果を導出表示する第２可変表示手段（例えば第２特別図柄表示装置４Ｂ）に予め定められた特定表示結果が導出表示されたときに、遊技者にとって有利な有利状態（例えば大当り遊技状態など）に制御可能な遊技機（例えばパチンコ遊技機１）であって、前記第１可変表示手段における前記第１可変表示の可変表示開始時から可変表示終了時までの可変表示時間を含む可変表示パターンを選択するための第１可変表示パターン選択処理と、前記第２可変表示手段における前記第２可変表示の可変表示開始時から可変表示終了時までの可変表示時間を含む可変表示パターンを選択するための第２可変表示パターン選択処理とを同一の処理ルーチンにより実行し、可変表示パターンを選択する可変表示パターン選択手段（例えばＣＰＵ１０３がステップＳ２７５、Ｓ２７６の処理を実行する部分）を備え、所定条件下において演出が異なることを特徴とする。
このような構成によれば、演出に変化を持たせることができ、遊技の興趣を向上させることができる。
【手続補正書】
【提出日】平成27年12月22日(2015.12.22)
【手続補正１】
【補正対象書類名】特許請求の範囲
【補正対象項目名】全文
【補正方法】変更
【補正の内容】
【特許請求の範囲】
【請求項１】
始動条件の成立により判定情報を取得する判定情報取得手段と、
前記判定情報取得手段により取得された判定情報に基づいて、遊技者に有利な特別遊技を行うか否かを判定する特別遊技判定手段と、
前記特別遊技判定手段による判定結果に基づいて、遊技演出を制御する演出制御手段と、
前記遊技演出に係る表示をおこなう第１表示手段と、
前記遊技演出に伴って可動する第１可動手段と、
前記遊技演出に係る表示をおこなう第２表示手段と、
前記遊技演出に伴って可動する第２可動手段と、を備え、
前記演出制御手段は、
前記第１表示手段において第１演出画像を表示させているときに前記第１可動手段を可動させる一方、前記第１表示手段において第２演出画像を表示させているときに前記第１可動手段を可動させず、
前記第２表示手段において第３演出画像を表示させているときに前記第２可動手段を可動させる、
ことを特徴とする遊技機。
【手続補正２】
【補正対象書類名】明細書
【補正対象項目名】００１１
【補正方法】変更
【補正の内容】
【００１１】
上記目的を達成するため、請求項１の発明は、始動条件の成立により判定情報を取得する判定情報取得手段と、前記判定情報取得手段により取得された判定情報に基づいて、遊技者に有利な特別遊技を行うか否かを判定する特別遊技判定手段と、前記特別遊技判定手段による判定結果に基づいて、遊技演出を制御する演出制御手段と、前記遊技演出に係る表示をおこなう第１表示手段と、前記遊技演出に伴って可動する第１可動手段と、前記遊技演出に係る表示をおこなう第２表示手段と、前記遊技演出に伴って可動する第２可動手段と、を備え、前記演出制御手段は、前記第１表示手段において第１演出画像を表示させているときに前記第１可動手段を可動させる一方、前記第１表示手段において第２演出画像を表示させているときに前記第１可動手段を可動させず、前記第２表示手段において第３演出画像を表示させているときに前記第２可動手段を可動させる、ことを特徴とする。
【手続補正書】
【提出日】平成28年8月29日(2016.8.29)
【手続補正１】
【補正対象書類名】特許請求の範囲
【補正対象項目名】全文
【補正方法】変更
【補正の内容】
【特許請求の範囲】
【請求項１】
汁排出口が形成された容器と、前記容器の内部に位置する網体と、前記網体の内部に位置して材料を搾汁するスクリューと、前記容器の上端に連結され、材料が投入される投入部が形成された蓋部と、前記投入部の上端の主投入口に回転可能に設けられ、第１位置及び第２位置に移動可能な安全カバーと、上部に向かって細くなる形態で前記スクリューの上端に形成され、破砕刃を有する破砕部と、前記投入部と連結され、前記破砕部を収容するように前記蓋部の下面に凹状に形成された破砕加工部と、を含み、
前記安全カバーは、
前記第１位置では前記主投入口を開放するように立てられ、前記第２位置では前記主投入口を閉塞する第１カバー部と、
前記第１カバー部と一体を成しており、前記第１位置で下方に加えられる力により押されると、前記安全カバーを前記第２位置に移動させて、前記第１カバー部が前記主投入口を閉塞するようにする第２カバー部と、を含み、
前記破砕刃は、前記投入部を介して投入された材料の側面を外側に押しながら破砕するように形成され、前記破砕加工部の内面は、前記破砕刃により外側に押される材料を阻止するように設けられて、前記破砕刃と前記破砕加工部の内面との間で材料が破砕されるようにし、
前記破砕加工部の内面は、前記投入部から連続して延びるとともに、前記破砕部の中心軸に向かって傾斜して形成されて、材料の側面が前記破砕刃によって粉砕され始めるように補助して案内する材料案内面を含むことを特徴とするジューサー用搾汁モジュール。
【請求項２】
前記安全カバーは、前記第１カバー部と前記第２カバー部とが交差する位置の両側面で、前記主投入口の両側にヒンジにより連結されることを特徴とする請求項１記載のジューサー用搾汁モジュール。
【請求項３】
前記安全カバーを前記第１位置に偏向させるように前記ヒンジに設けられた偏向手段をさらに含むことを特徴とする請求項１記載のジューサー用搾汁モジュール。
【請求項４】
前記偏向手段は、トーションスプリングまたは重りであることを特徴とする請求項３記載のジューサーのジュース抽出モジュール。
【請求項５】
前記安全カバーを前記第２位置で固定する固定ユニットをさらに含み、
前記固定ユニットは、前記第１カバー部の上面に位置したノブと、前記第１カバー部の下面に位置し、前記第１カバー部を貫通する連結部により前記ノブと連結された固定片と、を含み、前記投入部の内面には、前記ノブにより回転する前記固定片が挿入されるように固定溝が形成されていることを特徴とする請求項１記載のジューサー用搾汁モジュール。
【請求項６】
前記投入部は、その上端に前記主投入口より小さいサイズに形成された補助投入口をさらに含むことを特徴とする請求項１記載のジューサー用搾汁モジュール。
【請求項７】
前記安全カバーは、前記第２位置を経てさらに回転した第３位置を有し、第１カバー部及び第２カバー部は、前記第３位置でそれぞれ前記主投入口及び前記補助投入口を少なくとも部分的に閉塞することを特徴とする請求項１記載のジューサー用搾汁モジュール。
【請求項８】
前記破砕加工部は、前記投入部の下端と連結される高さで、前記投入部の下端の全体領域を覆うことを特徴とする請求項１記載のジューサー用搾汁モジュール。
【請求項９】
前記投入部の下端領域は、前記スクリューの中心軸を中心とした前記破砕加工部の直径に相応する円の半円領域内に偏って位置することを特徴とする、請求項１０に記載のジューサー用搾汁モジュール。
【請求項１０】
前記破砕加工部の内面は、前記投入部から前記破砕刃が進行する方向にて前記破砕刃と次第に隣接するように形成された破砕加工面を含むことを特徴とする請求項１０記載のジューサー用搾汁モジュール。
【請求項１１】
前記材料案内面の端部が前記網体の内側面と一致することを特徴とする請求項１記載のジューサー用搾汁モジュール。
【請求項１２】
前記破砕加工部の内面は、
前記投入部から前記破砕刃が進行する方向にて前記破砕刃と次第に近接するように形成された破砕加工面と、
前記投入部から連続して延びるとともに、前記破砕部の中心軸に向かって傾斜して形成されて、材料の側面が前記破砕刃によって粉砕され始めるようにする材料案内面と、を含むことを特徴とする請求項１記載のジューサー用搾汁モジュール。
【請求項１３】
前記破砕部は、前記網体の上端を越えて延びた状態で、前記破砕加工部の内部に収容されることを特徴とする請求項１記載のジューサー用搾汁モジュール。
【請求項１４】
前記破砕加工部は、破砕加工面を含み、前記破砕加工面には少なくとも一つの粉砕刃が形成されることを特徴とする請求項１記載のジューサー用搾汁モジュール。
【請求項１５】
前記投入部でクランク形状の材料投入経路が形成されることを特徴とする請求項１記載のジューサー用搾汁モジュール。
【請求項１６】
ミキサーまたはジューサーの投入口に回転可能に設けられ、第１位置及び第２位置に移動可能な安全カバーであって、
前記第１位置では前記主投入口を開放するように立てられ、前記第２位置では前記主投入口を閉塞する第１カバー部と、
前記第１位置で下側に加えられる力により押されると、前記主投入口を閉塞する前記第２位置に前記第１カバー部を移動させる第２カバー部と、
前記第１カバー部と前記第２カバー部とが交差する位置の両側面で、当該安全カバーを前記主投入口の両側に連結するヒンジと、
当該安全カバーを前記第１位置に偏向させるように前記ヒンジに設けられた偏向手段とを含み、
当該安全カバーが前記第１位置に保持されたとき、略完全に開放された前記主投入口に対して前記第１カバー部が実質的に垂直に立ち、当該安全カバーが前記第２位置に保持されたとき、前記第１カバー部が前記主投入口を覆うことを特徴とする安全カバー。
【手続補正書】
【提出日】平成28年2月17日(2016.2.17)
【手続補正１】
【補正対象書類名】明細書
【補正対象項目名】０００２
【補正方法】変更
【補正の内容】
【０００２】
一軸アクチュエータとして、例えば特許文献１に記載された直動機構の防水構造が知られている。
この特許文献１の防水構造は、水が浸入する開口部を２枚のシール部材で閉塞し、スライダに設けた楔部を２枚のシール部材の間に配置し、スライダの直線移動とともに楔部が２枚のシール部材に密着することでシール性を確保するようにしている。
【手続補正２】
【補正対象書類名】明細書
【補正対象項目名】０００３
【補正方法】変更
【補正の内容】
【０００３】
【特許文献１】特開２００６−４３８５６号公報
【手続補正３】
【補正対象書類名】明細書
【補正対象項目名】０００４
【補正方法】変更
【補正の内容】
【０００４】
ところで、特許文献１の防水構造は、楔部を薄く形成するとシール性を高めることができるが、薄い楔部をスライダに設けた一軸アクチュエータは、耐荷重性や、ピッチング方向、ヨーイング方向、ローリング方向の耐モーメント性の面で問題があり、高負荷仕様とすることができない。
本発明は、上記従来例の未解決の課題に着目してなされたものであり、さらに、スライダが水没した環境でも高負荷仕様として使用することができる一軸アクチュエータを提供することを目的としている。
【手続補正書】
【提出日】平成28年7月14日(2016.7.14)
【手続補正１】
【補正対象書類名】特許請求の範囲
【補正対象項目名】請求項３
【補正方法】変更
【補正の内容】
【請求項３】
前記案内部材連結手順の前に、前記トリムカバーの一部で、前記クッションパッドの上部を被覆する上部被覆手順を行うことを特徴とする請求項２記載のエアバッグモジュール装備シートの組付け方法。
【手続補正２】
【補正対象書類名】特許請求の範囲
【補正対象項目名】請求項５
【補正方法】変更
【補正の内容】
【請求項５】
前記エアバッグモジュール取付手順では、シート幅方向において前記係止部材と対向するように前記クッションパッドの側面に設けられた開口を通して、前記エアバッグモジュールを配置するモジュール配置手順と、
該モジュール配置手順で挿入された前記エアバッグモジュールを前記サイドフレームに固定するモジュール固定手順と、を行うことを特徴とする請求項４記載のエアバッグモジュール装備シートの組付け方法。
【手続補正３】
【補正対象書類名】特許請求の範囲
【補正対象項目名】請求項１３
【補正方法】変更
【補正の内容】
【請求項１３】
前記クッションパッドの背面の下部が前記トリムカバーに被覆されていない状態において、前記係止部材は、前記クッションパッドの背面と前記サイドフレームのシート内側の面に囲まれる領域に、背面側から少なくとも一部が視認可能な状態で配置されていることを特徴とする請求項１２記載のエアバッグモジュール装備シート。
【手続補正４】
【補正対象書類名】図面
【補正対象項目名】図９
【補正方法】変更
【補正の内容】
【図９】
2015020456.tif 000001
【手続補正書】
【提出日】平成28年4月12日(2016.4.12)
【手続補正１】
【補正対象書類名】特許請求の範囲
【補正対象項目名】全文
【補正方法】変更
【補正の内容】
【特許請求の範囲】
【請求項１】
車両用ドアの内面を構成するドアインナパネルと、該ドアインナパネルの車内側に張り付けられたドアトリムとを備える車両用ドア構造において、
前記ドアトリムを包囲するように前記ドアインナパネルに環状に取り付けられ前記ドアを閉じたときに車両ボデーと接触して前記ドアインナパネルと前記車両ボデーとの間隙をシールするドア用シール部材と、
前記車両ボデーに環状に取り付けられ前記ドアを閉じたときに前記ドアトリムと接触して前記車両ボデーと前記ドアトリムの間隙をシールし前記ドア用シール部材との間に第１の空間を形成するボデー用シール部材と、
前記ドアトリムから車外側に突出して前記ドアインナパネルに接触し該ドアトリムと該ドアインナパネルとの間隔を保つリブであって該ドアインナパネルと該ドアトリムとの間に形成される第２の空間を該ドアトリムを隔てて第１の空間に隣接させるリブと、
前記ドアトリムに開けられた第１の空間および第２の空間を連通させる通気口とを備えることを特徴とする車両用ドア構造。
【請求項２】
前記通気口は、前記ドアを閉じる過程で前記ボデー用シール部材が前記ドアトリムと接触する瞬間には第１の空間および第２の空間を連通させていて、前記過程で前記ドアトリムが前記車両ボデーに接近して前記ドアトリムに対する前記ボデー用シール部材の接触面積が増大することで前記ボデー用シール部材によって塞がれ始め、さらに前記ボデー用シール部材と前記ドアトリムとが接近すると塞がれる面積も増大し、前記車両用ドアが完全に閉じた時には前記ドアトリムと前記ボデー用シール部材とによって完全に塞がれている位置に配置されていることを特徴とする請求項１に記載の車両用ドア構造。
【請求項３】
前記ドアインナパネルを車外側に窪ませることによって前記通気口に面する第３の空間を形成する窪みをさらに備えることを特徴とする請求項１または２に記載の車両用ドア構造。
【請求項４】
車両用ドアの内面を構成するドアインナパネルと、該ドアインナパネルの車内側に張り付けられたドアトリムとを備える車両用ドア構造において、
前記ドアトリムを包囲するように前記ドアインナパネルに環状に取り付けられ前記ドアを閉じたときに車両ボデーと接触して該ドアインナパネルと該車両ボデーとの間隙をシールするドア用シール部材と、
前記車両ボデーに環状に取り付けられ前記ドアを閉じたときに前記ドアトリムと接触して該車両ボデーと前記ドアトリムの間隙をシールし前記ドア用シール部材との間に第１の空間を形成するボデー用シール部材と、
前記ドアインナパネルを車外側に窪ませることによって前記ドアトリムの縁と接触せず第１の空間と連通する第３の空間を形成する窪みと、
前記ドアトリムの縁から突出して前記ドアインナパネルに接触し該ドアトリムと該ドアインナパネルとの間隔を保つリブであって該ドアインナパネルと該ドアトリムとの間に形成される第２の空間を第３の空間に連通させるリブとを備えることを特徴とする車両用ドア構造。
【請求項５】
車両用ドアの内面を構成するドアインナパネルと、該ドアインナパネルの車内側に張り付けられたドアトリムとを備える車両用ドア構造において、
前記ドアトリムを包囲するように前記ドアインナパネルに環状に取り付けられ前記ドアを閉じたときに車両ボデーと接触して該ドアインナパネルと該車両ボデーとの間隙をシールするドア用シール部材と、
前記車両ボデーに環状に取り付けられ前記ドアを閉じたときに前記ドアトリムと接触して該車両ボデーと前記ドアトリムの間隙をシールし前記ドア用シール部材との間に第１の空間を形成するボデー用シール部材と、
前記ドアトリムの縁から突出して前記ドアインナパネルに接触し該ドアトリムと該ドアインナパネルとの間隔を保つリブであって該ドアインナパネルと該ドアトリムとの間に形成される第２の空間を該ドアトリムの縁を隔てて第１の空間に隣接させるリブと、
前記ドアトリムの縁を切り欠いて形成され第１の空間および第２の空間を連通させる切欠部とを備えることを特徴とする車両用ドア構造。
【請求項６】
前記ドアインナパネルを車外側に窪ませることによって前記ドアトリムの縁との間隔を広げ前記第１の空間と連通する第３の空間を形成する窪みをさらに備えることを特徴とする請求項５に記載の車両用ドア構造。
【手続補正２】
【補正対象書類名】明細書
【補正対象項目名】０００８
【補正方法】変更
【補正の内容】
【０００８】
上記課題を解決するために、本発明にかかる車両用ドア構造の代表的な構成は、車両用ドアの内面を構成するドアインナパネルと、ドアインナパネルの車内側に張り付けられたドアトリムとを備える車両用ドア構造において、ドアトリムを包囲するようにドアインナパネルに環状に取り付けられドアを閉じたときに車両ボデーと接触してドアインナパネルと車両ボデーとの間隙をシールするドア用シール部材と、車両ボデーに環状に取り付けられドアを閉じたときにドアトリムと接触して車両ボデーとドアトリムの間隙をシールしドア用シール部材との間に第１の空間を形成するボデー用シール部材と、ドアトリムから車外側に突出してドアインナパネルに接触しドアトリムとドアインナパネルとの間隔を保つリブであってドアインナパネルとドアトリムとの間に形成される第２の空間をドアトリムを隔てて第１の空間に隣接させるリブと、ドアトリムに開けられ第１の空間および第２の空間を連通させる通気口とを備えることを特徴とする。
【手続補正書】
【提出日】平成28年7月14日(2016.7.14)
【手続補正１】
【補正対象書類名】特許請求の範囲
【補正対象項目名】請求項３
【補正方法】変更
【補正の内容】
【請求項３】
前記サイドフレームは、前記シート前方及び後方の端部に、前記シート内側に延出する前側フランジ及び後側フランジをそれぞれ備え、
前記取付部材は、前記前側フランジと前記後側フランジとの間に配置されていることを特徴とする請求項２記載のエアバッグモジュール装備シート。
【手続補正２】
【補正対象書類名】特許請求の範囲
【補正対象項目名】請求項４
【補正方法】変更
【補正の内容】
【請求項４】
前記取付部材は、前記モジュール取付手段よりも前記シート下方に配置されていることを特徴とする請求項３記載のエアバッグモジュール装備シート。
【手続補正３】
【補正対象書類名】特許請求の範囲
【補正対象項目名】請求項５
【補正方法】変更
【補正の内容】
【請求項５】
前記取付部材は、前記サイドフレームから、前記モジュール取付手段の先端よりも前記シート内側の位置まで、突出していることを特徴とする請求項３又は４記載のエアバッグモジュール装備シート。
【手続補正４】
【補正対象書類名】特許請求の範囲
【補正対象項目名】請求項６
【補正方法】変更
【補正の内容】
【請求項６】
前記サイドフレームは、前記前側フランジと前記後側フランジとの間に、前記シートの前記サイド部に沿って延出する側板部を備え、
該側板部は、前記前側フランジの近傍に、前記側板部の他の部分よりも前記シート内側に突出した凸部を備え、
前記取付部材は、前記凸部に取付けられていることを特徴とする請求項３乃至５いずれか記載のエアバッグモジュール装備シート。
【手続補正５】
【補正対象書類名】特許請求の範囲
【補正対象項目名】請求項１０
【補正方法】変更
【補正の内容】
【請求項１０】
前記側面パッド部の前記内側突出部の先端は、前記後側フランジの先端と前記シート幅方向において同じ位置又は前記後側フランジの先端よりも前記シート幅方向外側の位置に配置されていることを特徴とする請求項９記載のエアバッグモジュール装備シート。
【手続補正６】
【補正対象書類名】特許請求の範囲
【補正対象項目名】請求項１１
【補正方法】変更
【補正の内容】
【請求項１１】
前記取付部材のうち、少なくとも前記サイドフレームの前記シート内側に突出する部分の外面は、前記サイドフレームの前記シート内側の面と異なる色からなることを特徴とする請求項９又は１０記載のエアバッグモジュール装備シート。
【手続補正７】
【補正対象書類名】明細書
【補正対象項目名】００１８
【補正方法】変更
【補正の内容】
【００１８】
このとき、請求項１０のように、前記側面パッド部の前記内側突出部の先端は、前記後側フランジの先端と前記シート幅方向において同じ位置又は前記後側フランジの先端よりも前記シート幅方向外側の位置に配置されていると好適である。
このように構成しているため、側面パッド部の内側突出部が、サイドフレームの後側フランジのシート内側先端よりも張り出して、取付部材が、内側突出部のシート内側端部によってシート背面側から見えにくくなることを抑制できる。
【手続補正８】
【補正対象書類名】明細書
【補正対象項目名】００２９
【補正方法】変更
【補正の内容】
【００２９】
請求項１０の発明によれば、側面パッド部の内側突出部が、サイドフレームの後側フランジのシート内側先端よりも張り出して、取付部材が、内側突出部のシート内側端部によってシート背面側から見えにくくなることを抑制できる。
【手続補正９】
【補正対象書類名】図面
【補正対象項目名】図９
【補正方法】変更
【補正の内容】
【図９】
2015020457.tif 000001
【手続補正書】
【提出日】平成27年12月25日(2015.12.25)
【手続補正１】
【補正対象書類名】特許請求の範囲
【補正対象項目名】全文
【補正方法】変更
【補正の内容】
【特許請求の範囲】
【請求項１】
外方部材と、ハブ輪および内輪からなる内方部材と、前記外方部材の内周に形成された複列の外側軌道面と前記内方部材の外周に形成された複列の内側軌道面との間に配された複列の転動体とからなる車輪用軸受と、
マウス部及びステム部を有する外側継手部材と、前記マウス部に収容された内側継手部材と、前記外側継手部材と前記内側継手部材との間に配された複数のトルク伝達部材とを有する等速自在継手とを備え、
前記ハブ輪に設けられたボルト挿通孔にアウトボード側から挿通されたボルトを、前記ステム部のアウトボード側の端部に設けられたボルト穴に螺合させて締め付けることにより、前記車輪用軸受と前記等速自在継手とを連結した車輪用軸受装置において、
前記ステム部の外周面と前記ハブ輪の内周面のうちのいずれか一方に、軸方向に延びる凸部を設け、他方に、前記凸部とトルク伝達可能に嵌合した軸方向に延びる凹部を設け、
さらに、前記ステム部又は前記ハブ輪と隙間嵌合して前記凸部と前記凹部との嵌合の開始をガイドするガイド部とを設け、
前記凸部と前記凹部との嵌合開始前で、前記ステム部又は前記ハブ輪と前記ガイド部の全域とを隙間嵌合させた状態で、前記ハブ輪に対する前記ボルトの最大傾斜角を、前記ハブ輪に対する前記外側継手部材の最大傾斜角よりも大きくしたことを特徴とする車輪用軸受装置。
【請求項２】
前記凸部と前記凹部との嵌合部位全域が密着した請求項１記載の車輪用軸受装置。
【請求項３】
前記ガイド部として、前記凹部の圧入開始側に、軸方向に延びる複数のガイド用凹部を設けた請求項２記載の車輪用軸受装置。
【請求項４】
前記凹部が、前記凸部の周方向側壁部のみに対して締め代を有する請求項２または３記載の車輪用軸受装置。
【請求項５】
外方部材と、ハブ輪および内輪からなる内方部材と、前記外方部材の内周に形成された複列の外側軌道面と前記内方部材の外周に形成された複列の内側軌道面との間に配された複列の転動体とからなる車輪用軸受と、
マウス部及びステム部を有する外側継手部材と、前記マウス部に収容された内側継手部材と、前記外側継手部材と前記内側継手部材との間に配された複数のトルク伝達部材とを有する等速自在継手と、
前記ステム部の外周面と前記ハブ輪の内周面のうちのいずれか一方に設けられた軸方向に延びる凸部と、
前記ステム部の外周面と前記ハブ輪の内周面のうちの他方に設けられ、前記凸部とトルク伝達可能に嵌合した軸方向に延びる凹部と、
前記ステム部又は前記ハブ輪に設けられたガイド部とを備えた車輪用軸受装置の組立方法であって、
前記ガイド部の全域を前記ステム部又は前記ハブ輪と隙間嵌合させて、前記凸部と前記凹部との嵌合の開始をガイドするステップと、
前記ハブ輪に設けられたボルト挿通孔にアウトボード側からボルトを挿通し、前記ハブ輪に対する前記ボルトの最大傾斜角を、前記ハブ輪に対する前記外側継手部材の最大傾斜角よりも大きくするステップと、
前記ボルトを、前記ステム部のアウトボード側の端部に設けられたボルト穴に螺合させて締め付けることにより、前記凸部で、前記ステム部の外周面と前記ハブ輪の内周面のうちの他方を切削しながら前記凹部を形成して、前記軸受と前記等速自在継手とを連結するステップとを有する車輪用軸受装置の組立方法。
【請求項６】
前記ステム部の外周面と前記ハブ輪の内周面のうちの他方に小凹部を形成するステップをさらに有し、
前記凸部で、前記小凹部の内壁を切削しながら前記凹部を形成して、前記凸部と前記凹部との嵌合部位全域を密着させる請求項５記載の車輪用軸受装置の組立方法。
【請求項７】
前記ガイド部として、前記小凹部の圧入開始側に、軸方向に延びる複数のガイド用凹部を設けた請求項６記載の車輪用軸受装置の組立方法。
【請求項８】
前記小凹部の内壁を、前記凸部の前記周方向側壁部のみで切削して前記凹部を形成する請求項６記載の車輪用軸受装置の組立方法。
【手続補正２】
【補正対象書類名】明細書
【補正対象項目名】発明の名称
【補正方法】変更
【補正の内容】
【発明の名称】車輪用軸受装置及びその組立方法
【手続補正３】
【補正対象書類名】明細書
【補正対象項目名】０００１
【補正方法】変更
【補正の内容】
【０００１】
本発明は、例えば自動車の懸架装置に対して駆動車輪（ＦＦ車の前輪、ＦＲ車の後輪、４ＷＤ車の全輪）を回転自在に支持する車輪用軸受装置及びその組立方法に関する。
【手続補正書】
【提出日】平成28年6月21日(2016.6.21)
【手続補正１】
【補正対象書類名】特許請求の範囲
【補正対象項目名】全文
【補正方法】変更
【補正の内容】
【特許請求の範囲】
【請求項１】
表題情報を含む画像を記録媒体上に形成する画像形成手段と、
前記画像が形成された記録媒体を折り畳む折り畳み手段と、
前記画像の回転角度及び前記記録媒体の折り方の種類を入力する入力手段と、
前記画像の大きさ及び前記入力された回転角度に基づいて、前記記録媒体の大きさを決定する第１決定手段と、
前記折り畳み手段による折り条件を規定する複数の折り情報の中から、前記入力された折り方の種類及び前記決定された記録媒体の大きさに対応する折り情報を決定する第２決定手段と、
前記決定された折り情報に基づいて、折り畳み後の前記記録媒体の状態であり、前記表題情報が表面に含まれるプレビュー画像を表示するプレビュー画像表示手段と、
を備えることを特徴とする画像処理装置。
【請求項２】
前記入力手段が前記回転角度及び前記折り方の種類の少なくともいずれか一方の変更指示を入力する場合には、前記プレビュー画像表示手段は、当該入力された変更指示に対応するプレビュー画像を表示することを特徴とする請求項１に記載の画像処理装置。
【請求項３】
前記プレビュー画像は、折り畳み途中の記録媒体の状態を示す第１プレビュー画像及び折り畳み後の記録媒体の状態を示す第２プレビュー画像を含み、
前記プレビュー画像の切り替え指示が入力される度に、前記プレビュー画像表示手段は、前記第１プレビュー画像及び前記第２プレビュー画像を交互に切り替えて表示することを特徴とする請求項１又は２に記載の画像処理装置。
【請求項４】
前記プレビュー画像は、折り畳み後の記録媒体の表側を表す第３プレビュー画像及び折り畳み後の記録媒体の裏側を表す第４プレビュー画像を含み、
前記プレビュー画像の反転指示が入力されると、前記プレビュー画像表示手段は、表示されるプレビュー画像を前記第３プレビュー画像から前記第４プレビュー画像へ切り替えることを特徴とする請求項１乃至３のいずれか１項に記載の画像処理装置。
【請求項５】
前記プレビュー画像は、折り畳み後の記録媒体の表側を表す第３プレビュー画像及び折り畳み後の記録媒体の裏側を表す第４プレビュー画像を含み、
前記画像処理装置は、前記記録媒体上の表題情報の位置情報を予め設定する設定手段を備え、
前記設定手段で設定された位置情報を有する表題情報が前記第３プレビュー画像に含まれていない場合には、前記プレビュー画像表示手段は、前記第４プレビュー画像を表示することを特徴とする請求項１乃至３のいずれか１項に記載の画像処理装置。
【請求項６】
表題情報を含む画像を入力する入力装置と、前記画像を記録媒体上に形成する画像形成装置と、前記画像が形成された記録媒体を折り畳む折り畳み装置と、に接続される情報処理装置であって、
前記画像の回転角度及び前記記録媒体の折り方の種類を入力する入力手段と、
前記画像の大きさ及び前記入力された回転角度に基づいて、前記記録媒体の大きさを決定する第１決定手段と、
前記折り畳み装置による折り条件を規定する複数の折り情報の中から、前記入力された折り方の種類及び前記決定された記録媒体の大きさに対応する折り情報を決定する第２決定手段と、
前記決定された折り情報に基づいて、折り畳み後の前記記録媒体の状態であり、前記表題情報が表面に含まれるプレビュー画像を表示するプレビュー画像表示手段と、
を備えることを特徴とする情報処理装置。
【請求項７】
表題情報を含む画像を入力する入力装置と、前記画像を記録媒体上に形成する画像形成装置と、前記画像が形成された記録媒体を折り畳む折り畳み装置と、に接続されるコンピュータを、
前記画像の回転角度及び前記記録媒体の折り方の種類を入力する入力手段、
前記画像の大きさ及び前記入力された回転角度に基づいて、前記記録媒体の大きさを決定する第１決定手段、
前記折り畳み装置による折り条件を規定する複数の折り情報の中から、前記入力された折り方の種類及び前記決定された記録媒体の大きさに対応する折り情報を決定する第２決定手段、及び
前記決定された折り情報に基づいて、折り畳み後の前記記録媒体の状態であり、前記表題情報が表面に含まれるプレビュー画像を表示するプレビュー画像表示手段、
として機能させることを特徴とするプログラム。
【手続補正２】
【補正対象書類名】明細書
【補正対象項目名】０００５
【補正方法】変更
【補正の内容】
【０００５】
上記目的を達成するため、請求項１の画像処理装置は、表題情報を含む画像を記録媒体上に形成する画像形成手段と、前記画像が形成された記録媒体を折り畳む折り畳み手段と、前記画像の回転角度及び前記記録媒体の折り方の種類を入力する入力手段と、前記画像の大きさ及び前記入力された回転角度に基づいて、前記記録媒体の大きさを決定する第１決定手段と、前記折り畳み手段による折り条件を規定する複数の折り情報の中から、前記入力された折り方の種類及び前記決定された記録媒体の大きさに対応する折り情報を決定する第２決定手段と、前記決定された折り情報に基づいて、折り畳み後の前記記録媒体の状態であり、前記表題情報が表面に含まれるプレビュー画像を表示するプレビュー画像表示手段と、を備えることを特徴とする。
【手続補正３】
【補正対象書類名】明細書
【補正対象項目名】０００６
【補正方法】変更
【補正の内容】
【０００６】
請求項２の画像処理装置は、請求項１記載の画像処理装置において、前記入力手段が前記回転角度及び前記折り方の種類の少なくともいずれか一方の変更指示を入力する場合には、前記プレビュー画像表示手段は、当該入力された変更指示に対応するプレビュー画像を表示することを特徴とする。
【手続補正４】
【補正対象書類名】明細書
【補正対象項目名】０００９
【補正方法】変更
【補正の内容】
【０００９】
請求項５の画像処理装置は、請求項１乃至３のいずれか１項に記載の画像処理装置において、前記プレビュー画像は、折り畳み後の記録媒体の表側を表す第３プレビュー画像及び折り畳み後の記録媒体の裏側を表す第４プレビュー画像を含み、前記画像処理装置は、前記記録媒体上の表題情報の位置情報を予め設定する設定手段を備え、前記設定手段で設定された位置情報を有する表題情報が前記第３プレビュー画像に含まれていない場合には、前記プレビュー画像表示手段は、前記第４プレビュー画像を表示することを特徴とする。
【手続補正書】
【提出日】平成28年1月18日(2016.1.18)
【手続補正１】
【補正対象書類名】特許請求の範囲
【補正対象項目名】全文
【補正方法】変更
【補正の内容】
【特許請求の範囲】
【請求項１】
固定側金型と可動側金型からなる金型を型締めすることでインサート部品の一部を固定すると共にキャビティを構成し、該キャビティの内部に配置されたインサート部品を該キャビティに注入される樹脂により封止する金型装置において、
前記金型に設けられ、弾性体により付勢されて一端をキャビティの内部に突き出してインサート部品を保持するインサート部品保持用ピンと、
該キャビティの内部に突き出したインサート部品保持用ピンの先端部分の半面に樹脂注入圧力を受ける圧力受面を設け、
前記インサート部品保持用ピンは、前記圧力受面が前記キャビティに注入される樹脂の流れる方向に対し前記インサート部品保持用ピンの反対面になるように配置されることを特徴とする金型装置。
【請求項２】
請求項１記載の金型装置であって、
前記インサート部品保持用ピンは、軸回転が制限されて前記金型に配置されており、前記インサート部品保持用ピンの圧力受面が前記キャビティに注入される樹脂の流れる方向に対し前記インサート部品保持用ピンの反対面となるように配置されていることを特徴とする金型装置。
【請求項３】
請求項１または２のいずれか１項に記載の金型装置であって、
前記圧力受面は、前記インサート部品保持用ピンの軸に対して傾斜した平面であることを特徴とする金型装置。
【請求項４】
請求項１または２のいずれか１項に記載の金型装置であって、
前記圧力受面は、前記インサート部品保持用ピンの軸に対して傾斜した凹凸面を有することを特徴とする金型装置。
【請求項５】
請求項１または２のいずれか１項に記載の金型装置であって、
前記圧力受面は、前記インサート部品保持用ピンの軸に対して傾斜した円弧形状面であることを特徴とする金型装置。
【請求項６】
インサート部品の封止成形方法であって、
前記インサート部品は、金型のキャビティに配置され、該キャビティの内部に突き出して金型に設けられたインサート部品保持用ピンで保持されており、
前記キャビティの内部に注入される樹脂で前記インサート部品を封止すると共に、前記樹脂の流れる方向に対し前記インサート部品保持用ピンの反対面に設けた圧力受面により前記樹脂の注入圧力を受けて前記インサート部品保持用ピンをインサート部品から離間する方向に後退させ、前記インサート部品保持用ピンがインサート部品の保持を開放することを特徴とするインサート部品の封止成形方法。